(57)【要約】【課題】建築用パネルやガラス板、ベニヤ板などの板材を、手を痛めることなく楽に運搬でき、職人の職業病ともいわれる腰痛などを解消する、使い勝手の良い板材の運搬具を提供する。【解決手段】側面視Ｌ形状を有する金属板の背面側に把手を設けた板材の運搬具であり、軽量かつ小型で取り扱いが容易な受け金具に相当する運搬具を用いて板材の下部を受け、この運搬具の把手を片手で持ち、しかも体の向きを歩く方向に向けたまま、把手を自然な向きの順手で持つことができるようにした。【選択図】図１
2005104603.tif 000002
【特許請求の範囲】
【請求項１】
両側縁に上端に向かうに従って近接する方向に狭くなる方向に傾斜した斜辺を有する板面形状又はフレーム形状を有する背板と、該背板の下端部を直角水平方向に折曲させることにより平面視矩形の板面又はフレーム形状に形成された載置部と、該載置部の先端を上方に折曲させて形成した鍔部とを備えた側面視略Ｌ形状を有し、さらに前記背板の上部背面側に、又は背板の上部を更に斜め背面方向に折曲させた個所に、把手が設けられていることを特徴とする板材の運搬具。
【請求項２】
長さ調節と着脱が可能な肩掛けベルトが、背板の背面に沿い且つその上端近傍個所で支持された状態で上方に向けて設けられている請求項１に記載の板材の運搬具。
【請求項３】
板材の押え部材が載置部の上面に沿って手前方向にスライド自在に設けられ、この押え部材の押え方向のスライド操作が、前記把手又はその近傍に設けられているレバーの操作、或いは板材の重みによって加わる肩掛けベルトの引きつけ力によって行なわれ、レバーの操作を解除し、或いは肩掛けベルトに加わっている張力が無くなると、押え部材が鍔部に接する方向に戻るように弾性体で付勢されている請求項１又は２に記載の板材の運搬具。
【請求項４】
載置部の下面の前後個所に走行輪が着脱可能に設けられている請求項１乃至３のいずれかに記載の板材の運搬具。
【請求項５】
背板の背面に上下方向に長い形状を持つハンドルの支持部が着脱自在に装着されている請求項１乃至４のいずれかに記載の板材の運搬具。
【発明の詳細な説明】
【技術分野】
【０００１】
本発明は、板材の運搬具に関し、さらに詳細には、側面視Ｌ形状を有する金属板の背面側に把手が設けられた、使い勝手が良く、板材を楽に運搬できる構造を基本として備える板材の運搬具に関する。
【背景技術】
【０００２】
最近新築される家はプレハブ式のものが多く、外壁パネルや内壁パネル、ベニヤ板などの板材が数多く使用されており、これに伴って、これらの板材を工事現場のストックヤードから施工現場まで持ち運ぶ機会が増えている。従来、これら板材をトラックから積み下ろした場所から施工現場までの持ち運びは、職人が片手で板材の下を受け支え、もう一方の片手で板材の上縁辺りを持って行なっており、作業効率を高めるため、一度に複数枚の板材を重ねて持ち運ぶこともよくあった。
しかしながら、大きな板材を片手で受け支えるように持つと、手に板材の重量の全部が加わって、手が痛くなったり、しびれることがよくある。しかも板材を体の横に添えて持ち運ぶという不自然な姿勢で持ち運ぶため、腰や背中に偏った負担が加わって腰や背中を痛めたり、腱鞘炎になることが多く、職人の職業病にもなっている。
【０００３】
このような背景下、職人の負担をできるだけ少なくするため、従来においても様々な工夫や開発がなされており、例えば、特開平１０−３３８３１７号、特開昭６３−２４２８１２号、実開昭６３−４８７１０号、実開昭６１−８８９１０号の各公報に記載の運搬具が公知となっている。
【０００４】
これら従来技術の構造を挙げると、特開平１０−３３８３１７号公報に記載の運搬補助具は、断面略Ｌ字状の受け金具に身体の片や首に廻し掛ける長さ調節自在なベルトの両先端部分を取り付けたもので構成されている。
特開昭６３−２４２８１２号公報に記載の板状物の運搬補助具は、Ｌ字形の受け具に肩掛け帯と腰帯を通したもので構成されている。
実開昭６３−４８７１０号公報に記載の持手付容器運搬用吊り下げ鉤は、側面鉤状に屈曲し、上半分を内側に反り身状に曲げ、さらに合成樹脂で被覆して本体を構成し、この本体の上部を肩掛け用のベルトに掛け通すことができるように構成されている。
実開昭６１−８８９１０号公報に記載の平板状物品等の搬送補助具は、腰部ベルトと肩掛けベルトとを有するベルト本体と、このベルト本体における腰部ベルトと肩掛けベルトとに荷重が掛かる位置に設けられる支承体とを具え、該支承体はほぼ水平前方に張り出した受け部を有するもので構成されている。
これら各従来技術による運搬補助具等は、いずれも板材の下を受け金具で受けて、肩掛けベルトや、腰ベルトを備えているものについては更に腰ベルトを利用して、板材の重みが肩や腰に掛かるようにして、手で板材を受けるときに生じていた重量負担を無くすように工夫されている。
【発明の開示】
【発明が解決しようとする課題】
【０００５】
このように受け金具とベルトを利用して板材を受け支える場合、受け金具の下部又は板材の下部を片手で持たないと、板材の上げ降ろしが上手く出来ない。また、板材を運搬しているときに、受け金具が板材とともに職人の体から離れる方向に振れたり、前後に傾いたりするので、片手で受け金具の下部又は板材の下部を持つ必要がある。このときの片手は、手のひらを外側に向ける持ち方になるが、この持ち方では体を前に向けるのが辛くなり、肘に負担が掛かって肘を痛めることがある。また板材を運搬するときの体の向きが斜めになったり、板材の面を斜め前に向けて運搬するなど、運搬し辛い姿勢をとることが多かった。このような無理な姿勢や歩行は、首、腰、背中、肩、肘、手首を痛める原因になる。また、片手で板材の下部を持つと、地面や床面及び板材と受け金具との間に手や指を詰めてしまうことがある。
【０００６】
また、この種の運搬具を職人が利用する場合には、使い易さが最も要求されるが、腰ベルトを備えたものは、腰に対する着脱の際の煩わしさに問題がある。特に、板材を運んだ後の復路にも、身体にベルトが固定されているので、これが邪魔になる。
さらに、上述した従来技術の受け金具は、背板になっている部分が上下に長い向きの矩形になっているため、板材を持ち上げた後、受け金具のどの辺りに板材が載っているのか判り難い。仮に板材が背板から離れた位置に載っていると、受け金具の先端が下方に向く方向に傾き易くなって板材の姿勢が不安定になる。
【０００７】
本発明は、上述した問題を解決するものであり、板材を運搬するに際し、軽量かつ小型で取り扱いが容易な受け金具に相当する運搬具を用いて板材の下部を受け、この運搬具の把手を片手で持ち、しかも体の向きを歩く方向に向けたまま、把手を自然な向きの順手で持つことができるようにし、これにより板材を運搬する職人の負担を軽減するものであり、また、背板に相当する部分を台形などその上部を下部よりも幅狭く形成することにより、板材が適切な位置に載っているのかその位置を確認しながら、板材を立てた姿勢で運搬できるようにし、さらに、所望により、板材を背板に寄せる押え部材、肩掛けベルト、走行輪、上下に長い形状を持つハンドルを設けるなどして、さらに運搬の利便さと職人の負担を軽減させることを目的とする。
【課題を解決するための手段】
【０００８】
以上の問題点を解決するために、本発明の請求項１に記載の板材の運搬具は、両側縁に上端に向かうに従って近接する方向に狭くなる方向に傾斜した斜辺を有する板面形状又はフレーム形状を有する背板と、傾斜した斜辺が形成された略台形板面形状又は略台形フレーム形状を有する背板と、該背板の下端部を直角水平方向に折曲させることにより平面視矩形の板面又はフレーム形状に形成された載置部と、該載置部の先端を上方に折曲させて形成した鍔部とを備えた側面視略Ｌ形状を有し、さらに前記背板の上部背面側に、又は背板の上部を更に斜め背面方向に折曲させた個所に、把手が設けられていることを特徴とする。
【０００９】
請求項１に記載の板材の運搬具（以下、請求項１に記載の運搬具、又はこの運搬具と略称する）の載置部は外壁パネルや内壁パネル、ベニヤ板、ガラス板などの板材を載せる部分であり、背板は板材を側面方向から支える背板の相当する部分であり、鍔部は載置部に載せた板材の下部が外方向に移動して落ちないように止める部分である。この運搬具は、全体が金属板で形成されたものと、金属板の軽量化を図るために開口が形成された金属板フレーム形状のものがあり、いずれも本発明に含まれる。
【００１０】
この運搬具には把手が設けられている。把手は、職人がこの運搬具を用いて外壁パネルや内壁パネル、ベニヤ板、ガラス板などの板材を持ち運ぶときに、把手を順手で持つことができ、しかも把手を持っている手が板材と把手の間に挟まらないように、背板の背面側に突出させて設けられている。ここにいう順手は、手の甲が体と反対側の方向に向く持ち方と、手の甲が体の前方に向く持ち方とがあり、このように把手を順手で持つと、肩、肘、手首に無理な負担が掛かり難く、板材を楽に持ち運ぶことができる。特に、把手を利用すると、板材の上げ降ろしの作業が楽になり、背中や腰を痛めることが少なくなる。また、板材を上げ降ろしするときに、板材と地面や床面との間に、手や指を詰めない。
把手は、例えば、背板の高さを高く形成して、この背板の上部面を載置部と反対方向（背面方向）に斜め上方に折曲させて、この上部面に前後方向に長い大きな開口を形成し、この開口の上方部分を把手にした形状のもの、背板の上部の背面に後付けされたものとして、平面視略コの字形にもの、背板の上部の背面から突出する方向に片支持されたものが挙げられる。このように運搬具に把手が設けられていると、板材の下縁を手で持つ必要が無くなる。
【００１１】
背板は、その両側縁が上端に向かうに従って近接する方向に傾斜した斜辺を有する板面形状又はフレーム形状を有しているので、片手で把手を持って提げたときに、背板の斜辺上方から載置部の両端近傍面が見える。このため、この運搬具に板材を載せたときに、板材が載置部の上のどの辺りに載っているのかが一目できるので、これを見ながら板材の位置を安定した位置の置き直すことができる。また台形の背板は、矩形の背板よりも軽量であるため持ち運びが楽で、見栄えも良い。なお、背板の前面と載置部の上面に、ゴム板又は合成樹脂板が貼り付けられて、板材が傷付かないようにすること好ましい。
【００１２】
請求項２に記載の板材の運搬具は、上記の請求項１に記載の構成の上、更に、長さ調節と着脱が可能な肩掛けベルトが背板の背面に沿い且つその上端近傍個所で支持された状態で上方に向けて設けられている。
【００１３】
板材を運搬するとき、一度に複数枚の板材を持って運搬することがある。また、大理石のように、石材で出来た重量のある板材も運搬することがある。特に、このような場合には、請求項２に記載のように肩掛けベルトを使用すること、板材の運搬が楽にできる。
肩掛けベルトは、背板の背面に沿い且つその上端近傍個所で支持されて上方に向けて設けられているので、板材の重みによって運搬具の先端を下方に傾ける力が加わっても、板材の重みによって肩掛けベルトに強い引っ張り力が働いて背板の上部が手前方向に強く引き付けられているので、運搬具の先端が下方に大きく傾くことはない。
肩掛けベルトは、着脱自在であるので、不用なときには取り外して、把手を持って使用することも可能であり、また、長さ調節が自在であるので、運搬具を用いる職人の体の大きさや体型、運搬する板材の大きさなどを考慮して、板材を最も運搬し易い高さに調節できる。
【００１４】
肩掛けベルトの好ましい形状として、輪形状になるように両端を折り返して１本のベルトの一端に連結した、いわばテニスラケットのフレームのような形状にしたものと、１本のベルトの両端に運搬具に掛けるフックが設けられたものとがあり、前者の肩掛けベルトはその先端部を運搬具に係止させて折り返し、この折り返した先端部をバックルを利用して肩掛けベルトの途中面に係止させると、運搬具に連結できる。
肩掛けベルトは、たすき掛けにして使用することが好ましく、必要に応じて、片方の手で運搬具の把手を持って、肩に加わる負担を軽減させたり、運搬具の姿勢を安定させたり、運搬具の振れを抑える。
【００１５】
請求項３に記載の板材の運搬具は、上記いずれかの構成において、板材の押え部材が載置部の上面に沿って手前方向にスライド自在に設けられ、この押え部材の押え方向のスライド操作が、前記把手又はその近傍に設けられているレバーの操作、或いは板材の重みによって加わる肩掛けベルトの引き付け力によって行なわれ、レバーの操作を解除したり、或いは肩掛けベルトに加わっている張力が無くなると、押え部材が鍔部に接する方向に戻るように弾性体で付勢されている。
【００１６】
押え部材は、背板に向けてスライドして板材を背板に挟み付けるもので、この押え板があると、板材の下部を職人の体に近い背板に沿わせて固定できる。このようにすると、板材の姿勢が安定し、板材の持ち運びが楽になる。特に、板材の下部が鍔部に近い位置に載っていると、板材の重みによって運搬具の先端が下方に傾き易くなるが、押え部材はこのようになるのも防ぐ。また、押え部材は、一度に複数枚の板材を背板に挟み付けることができるので、板材の下部が不揃いにならない。このため各板材を安定した姿勢で運搬できるようになる。
【００１７】
押え部材は、背板に対して常に平行に向く姿勢でスライドし、そのスライドは、載置部の下面に沿わせたスライド操作板の操作によって、載置部に設けた平行な２本の長孔に沿って行なわれ、このスライド操作板の操作は、把手又はその近傍に設けたレバーの操作で行なう方法と、板材の重みを受けた肩掛けベルトの張力で引きつける方法とがある。このうちのいずれを採用してもよいが、後者の方法は何の操作も必要としない点で優れる。
押え部材の戻りは、押え部材の背面側にある鍔部から、弾性体、さらに好ましくは丈夫なゴム紐を用いて、楔部に向けて引く方向に付勢することによって可能となる。この他にも、スライド操作板をバネで引く方向に付勢してもよい。
押え部材の上端は、板材を載置部に誘導し易くするために、斜面にすることが好ましく、更に好ましくは、押え部材の上面から前面をゴムカバーして、板材、特に、ガラス板が傷が付かないようにする。
【００１８】
請求項４に記載の板材の運搬具は、上記いずれかの構成において、更に、載置部の下面の前後個所に走行輪が着脱可能に設けられている。
【００１９】
このように走行輪を設けると、板材の形状が大きい場合や、板材が重い場合には、板材を運搬具の上に載せて走行させる運搬ができ、職人は板材を持ち上げて運搬する必要がなくなり、職人の体の負担が楽になる。また、板材を地面や床面近くまで下ろして運搬することができるので、前や横の視界が板材で遮られない。
走行輪を前後２箇所に設けると直進性が働いて走行方向を変えるのが難しくなるが、一方の走行輪を走行する方向を自在に変えることができる自在輪にすると、走行する向きを自由に変えられる。
走行輪は、載置部の下面に着脱可能に装着されているので、走行輪無しでも使用できる。走行輪の装着は、例えば、走行輪を支持している上端の取付面を、載置部の下面に着脱自在にボルトとナット更に好ましくは蝶ナットで着脱可能に装着し、或いは、走行輪を支持している上端の取付面を横からスライド挿入させるガイド部を、載置部の下面に設けることにより可能となる。
【００２０】
請求項５に記載の板材の運搬具は、上記いずれかの構成において、背板の背面に、上下方向に長い形状を持つハンドルの支持部が着脱自在に装着されている。
【００２１】
このハンドルは、職人が立ったままの姿勢で運搬具をキャリアのように牽いて走行させるためにあり、このハンドルがあると板材を載せた運搬具を楽に走行させることができる。
【発明の効果】
【００２２】
本発明の請求項１に記載の板材の運搬具によれば、運搬具の上に板材を載せ、体を前向きにした姿勢で把手を持って運搬できるので、従来、大きな板材を直接両手で抱えて持って運搬していたことによって生じていた職人の腰痛や背中の痛み、手、手首、肘、肩、首の痛みを相当程度低く抑えることができる。この結果、重量のある板材や複数枚の板材でも楽に運搬できるようになった。特に、請求項１に記載の板材の運搬具は構造が簡単で軽量であり、ハンドリングが良いので、必要なときにすぐに使え、置き場所にも困らない。また、背板の両側縁に上端に向かうに従って近接する方向に狭くなる方向に傾斜させて、この両側縁上方から載置部上面を見ることができるようにしたことによって、板材を持ち上げたときに、板材が載置部の手前側の面に寄せられて載っているのかの確認ができるようになり、板材を手前に寄せてその姿勢を安定させ易くなった。
【００２３】
請求項２に記載の板材の運搬具では、さらに、板材の運搬具に肩掛けベルトを設けたことによって、板材の重みを肩で受けて楽に運搬できる。しかも、この肩掛けベルトは、運搬具の背板の背面に沿わせてその上端近傍で支持したことによって、板材に重みによって運搬具の先端が下方に傾く力が加わっても、肩掛けベルトに加わっている張力で、これを阻止でき、その結果、板材を安定させて運搬できる。
【００２４】
請求項３に記載の板材の運搬具では、さらに、板材の押え部材を載置部の上面に沿って手前方向にスライド自在に設けたことによって、板材を安定した手前方向に寄せて、倒れないように背板と押え部材で挟み付けて運搬できる。特に、一度に複数枚の板材の下部を揃えて挟み付けることができるので、板材の運搬がさらに楽にできる。
【００２５】
請求項４の板材の運搬具では、さらに、走行輪を設けたことによって、板材を持ち上げることなく走行させて運搬できる。この結果、板材の運搬がさらに楽にできる。しかもこの走行輪を着脱可能としたことによって、走行輪が不用なときには、これを取り外して、板材の運搬具を軽くして使用できる。
【００２６】
請求項５に記載の板材の運搬具では、ハンドルを着脱自在に設けたことによって、職人が立ったままの姿勢で運搬具をキヤリヤのように走行させて板材を運搬できる。この結果、大きい板材や重い板材を持ち上げることなく、ハンドルを持って牽きながら楽に運搬できる。
【発明を実施するための最良の形態】
【００２７】
本発明を実施するための最良の形態は、（１）板材の運搬具を、側面視Ｌ形状に折曲させた金属板で形成し、（２）その手前側の部分を形成している背板を、下端部から上端に向かうに従って幅が次第に狭くなる背板にて形成し、（３）背板の背面側に把手を設け、（４）載置部の上面に板材を背板に向けて挟み付ける押し部材をスライド自在に設け、（５）走行輪と肩掛けベルトを着脱自在に設けたものが該当する。しかしながら、この構造に限定されない。
【実施例１】
【００２８】
図１（ａ）は本発明の実施例１による板材の運搬具を示した斜視図、（ｂ）は同じくその側面断面図である。
これら各図に示す実施例１による板材の運搬具１Ａは、肉厚のあるステンレス板をプレス成形して、背板の相当する背板１と、板材７０を載せる載置部２と、板材７０が載置部から滑り落ちないようにする鍔部３とを有する側面視Ｌ形状に形成されており、さらに、背板１の上部を斜め上方に折曲して、この折曲した面４に横方向に向けた大きな長孔よりなる開口５が形成され、この開口５から上方の部分に合成樹脂製のグリップ７が設けられて把手６が形成され、背板１の表面と載置部２の上面にゴム板８，９が貼り付けられたもので構成されている。
そして、背板１は、両側縁の下部が直立し更にその上方の両側縁部分１ａ，１ａが上端に向かうに従って幅狭くなる斜辺にて形成された略台形板面形状に形成されており、載置部２は、平面視すると、横方向に長い矩形を有している。
【実施例２】
【００２９】
図２は本発明の実施例２による板材の運搬具を斜視図で示している。
この実施例２の板材の運搬具１Ｂは、肉厚のあるステンレス板をプレス成形して、背板の相当する背板１と、板材を載せる載置部２と、板材が載置部から滑り落ちないようにする鍔部３とを有する側面視Ｌ形状に形成されており、さらに、背板１の上部の背面から直立する方向に把手６０が片支持されており、背板１の表面と載置部２の上面にゴム板８，９が貼り付けられたもので構成されている。
そして、背板１は、図１に示す背板１と同様に、両側縁の下部が直立し更にその上方の両側縁部分１ａ，１ａが上端に向かうに従って幅狭くなる斜辺にて形成されており、載置部２は、平面視すると、横方向に長い矩形を有している。
【実施例３】
【００３０】
図３は本発明の実施例３による板材の運搬具を斜視図で示している。
この実施例３の板材の運搬具１Ｃは、肉厚のあるステンレス板をプレス成形して、背板の相当する背板１と、板材を載せる載置部２と、板材が載置部から滑り落ちないようにする鍔部３とを有する側面視Ｌ形状に形成されており、さらに、背板１の上部の背面に、平面視コの字形状の把手６１が装着又は固定されたもので構成されている。
そして、背板１は、図１に示す背板１と同様に、両側縁の下部が直立し更にその上方の両側縁部分１ａ，１ａが上端に向かうに従って幅狭くなる斜辺にて形成されており、載置部２は、平面視すると、横方向に長い矩形を有している。
【００３１】
図４は、上述した実施例３の板材の運搬具１Ｃを用いて板材７０を運搬している状態を示している。
この板材の運搬具１Ｃを用いて板材７０を運搬するときには、この運搬具１Ｃの載置部２の上に、板材７０の側縁の略中央が位置するように板材７０を立てて載せ、一方の片手でこの運搬具１Ｃの把手を持ち、他方の片手で板材７０の上縁辺りを持って、板材７０を体の側方に位置させて前後方向に向けて運搬する。
【実施例４】
【００３２】
図５は本発明の実施例５による板材の運搬具の要部を拡大した斜視図で示し、図６の（ａ）は同じくこれを平面図で示し、（ｂ）は正面図で示し、図７は同じくこれを側面図で示している。
これら各図に示すように、本発明の実施例５による板材の運搬具１Ｄは、図１に示す実施例１の板材の運搬具１Ａにおける載置部２の上面に略沿う位置に、板材７０の押し部材１２が設けられており、さらに、載置部２の下面に走行輪１３，１４が着脱可能に設けられており、さらに、肩掛けベルト５０が着脱自在に設けられている。このように実施例５の板材の運搬具１Ｄは、図１に示す板材の運搬具１Ａと共通する部分が多く、このため実施例１の板材の運搬具と共通する個所には同一符号を付してある。
【００３３】
押し部材１２は、鍔部３や背板１と平行に向けられて設けられており、その上端は板材７０を載置部２に載せるときのガイドになる斜面で形成されており、さらに、その上端から前面に至る面が合成ゴムを素材とするゴムカバー１９で覆われている。そして、この押し部１２は、載置部２に沿って、背板１に向けてスライド可能に載置部２に支持されている。なお、押し部材１２の詳しいスライド構造については後述する。
【００３４】
走行輪１３，１４は、その上方に取付面１３ａ，１４ａを有するキャスタで構成され、このうちの一方の走行輪１４は、取付面１４ａに対して向きが自在に変化できる自在輪が用いられている。走行輪１３，１４は、取付面１３ａ，１４ａを載置部２の下面の両端近傍に振り分けて、ボルト１７とナットを用いて着脱可能に装着されている。
肩掛けベルト５０は、背板１の背面の縦方向に向けた中央面に沿うように、背板１の上方に形成されている長孔よりなるベルト通し孔１１内に通して係止された状態で、運搬具１Ｄの下部に支持されている。
【００３５】
図８は押し部材１２のスライド構造を示した一部に破断部を有する板材の運搬部の要部拡大平面図、図９は同じく拡大底面図、図１０は同じく拡大側面断面図、図１１は同じく押し部材をスライドさせて示した一部に破断部を有する板材の運搬部の要部拡大平面図である。
これら各図に示すように、押し部材１２は、載置部２に鍔部３から背板１に向かって平行に形成されている２本の長孔２ａ，２ａに沿ってスライドできるように支持されており、載置部２の下面にはスライド操作板１６が位置している。
【００３６】
そして、押し部材１２とスライド操作板１６が一緒に長孔２ａ，２ａに沿ってスライド出来るように、押し部材１２内から長孔２ａ，２ａ内に向けてボルト１８，１８が突出し、さらに、このボルト１８，１８の先端部が長孔２ａ，２ａ下方に位置するスライド操作板１６に挿通し、このボルト１８，１８の先端部にスライド操作板１６の下面側からナット２２，２２が締結されている。
そして、押し部材１２とスライド操作板１６のスライドが円滑に行なえるように、押し部材１２とナット２２，２２の間隔を一定に保つ管状のスペーサ２３，２３が、ボルト１８，１８に嵌装されている。
スライド操作板１６の後部は斜め下方に折曲しており、この折曲した面には長孔よりなるベルト通し孔１６ａが形成されている。
そして、肩掛けベルト５０がこのベルト通し孔１６ａ内に通されて折り返されており、この折り返された肩掛けベルト５０の先端部は、背板２の背面側に沿って上方に向けられて、肩掛けベルト５０の途中面に支持されているバックルに止められている。
【００３７】
図１１に示す押し部材１２の背板２に向けたスライド操作は、肩掛けベルト５０を強く引いてスライド操作板１６をスライド移動させることによって可能となり、肩掛けベルト５０の引きつけは、載置部２に板材７０を載せて持ち上げたときに加わる肩掛けベルト５０の張力で自然に働く。
押し部材１２の鍔部３に向けた戻り方向のスライドは、鍔部３から押し部材１２に懸架させたゴム紐１５による引っ張り方向の付勢力で行なわれる。このため、押し部材１２と鍔部３には、ゴム紐１５を通す開孔１２ａ，１２ａ，３ａ，３ａが形成されており、押し部材１２側の開孔１２ａ，１２ａ端の段部内で、ゴム紐１５の両端部が抜けないように、それぞれ結びコブが作られている。
このため、肩掛けベルト５０による引き付け力が無くなると、押し部材１２は、ゴム紐１５による付勢力で図１１に示す位置から図９，図１０に示す位置に戻される。
【００３８】
図１２は実施例４に示す板材の運搬具１Ｄの全体図を斜視図で示しており、この運搬具１Ｄに取り付けられている肩掛けベルト５０は、テニスラケットの如く輪状の部分の下部から下方に向けて延出した１本のベルト部分がこの運搬具１Ｄに取り付けられている。この運搬具１Ｄの使用方法は、載置部２に板材を載せ、肩掛けベルト５０をたすき掛けにして、載置部２を腰の辺りの高さまで持ち上げた状態で、片方の手で把手６０を持ち、もう一方の片手で板材７０の上縁辺りをもって運搬する。
【実施例５】
【００３９】
図１３の（ａ）は本発明の実施例５による板材の運搬具を背面図で示し、（ｂ）は同じく側面図で示している。
これら各図に示す実施例５の板材の運搬具１Ｅは、図１及び図２に示す板材の運搬具１Ａに上下方向に長い形状を持つハンドル２８が着脱自在に、しかも上げ長さの調節が自在に設けられており、さらに、載置部２に実施例４の如く走行輪１３，１４が装着され、さらに、背板１の背面の中央下部面に、ハンドル２の支持部２７の下部を挿入する金具よりなる装着部２５が装着又は固着されており、この装着部２５に支持部２７を固定する摘み付きネジ２６が設けられたもので構成されている。
ハンドル２８は、長板形状を有する支持部２７の上端にハンドル本体２９が設けられ、支持部２７の途中部が斜め上方に折曲され、支持部２７の下部面にネジ孔２７ａが上下方向に一定間隔を設けられたもので構成されている。
ハンドル２０の装着は、支持部２７の下端部を、背板１の上方の折曲している面４の基部に形成されている長孔１１の上方から長孔１１内に向けて挿通し、さらに、背板１の背面に沿わせて装着部２５内に入れて、摘み付きネジ２６の先端をネジ孔２７ａ内に入れて固定することで可能となる。
このように板材の運搬具１Ｅに上下方向に長いハンドル２８を取り付けると、運搬具１Ｅをキヤリヤのように引いて走行させながら板材を運搬することができる。
【産業上の利用可能性】
【００４０】
本発明による板材の運搬具は、板材を運搬するときにすぐに使うことができ、しかも使い方が簡単で腰、背中、肩、肘、手首に無理な負担を与えない。また手も痛めない。このため、従来、板材を直接、手で持って運搬していたときにあった職人の体の負担が軽減できる。また、従来の運搬具を使用するときには、一方の手を逆手にしたり、不自然な順手にしていたが、本発明の板材の運搬具では自然な向きの順手で把手を持つことができる。このため、板材を運搬するために新たに購入する分に加えて、従来の運搬具からの買い替えも期待できる。
【図面の簡単な説明】
【００４１】
【図１】（ａ）は本発明の実施例１による板材の運搬具を示した斜視図、（ｂ）は同じくその側面断面図。
【図２】本発明の実施例２による板材の運搬具を示した斜視図。
【図３】本発明の実施例３による板材の運搬具を示した斜視図。
【図４】本発明の実施例３による板材の運搬具の使用例を示した斜視図。
【図５】本発明の実施例４による板材の運搬具の要部を拡大して示した斜視図。
【図６】（ａ）は同じくその平面図、（ｂ）は同じくその正面図。
【図７】同じくその側面図。
【図８】同じくその要部を更に拡大して示した一部に破断部分を含む平面図。
【図９】同じくその底面図。
【図１０】同じくその拡大側面断面図。
【図１１】同じく押え部材が押圧方向にスライドした状態で示した一部に破断部分を含む平面図。
【図１２】本発明の実施例４による板材の運搬具の斜視図。
【図１３】（ａ）は本発明の実施例５による板材の運搬具を示した背面図、（ｂ）は同じくその側面図。
【符号の説明】
【００４２】
１Ａ，１Ｂ，１Ｃ，１Ｄ，１Ｅ    板材の運搬具
１    背板
１ａ    両側縁部分
２    載置部
２ａ    長孔
３    鍔部
４    折曲した面
５    開口
６    把手
７    グリップ
８    ゴム板
９    ゴム板
１１    ベルト通し孔
１２    押し部材
１３，１４    走行輪
１３ａ，１４ａ    取付面
１５    ゴム紐
１６    スライド操作板
１９    カバー
２３    スペーサ
２８    ハンドル
５０    肩掛けベルト
７０    板材
【図１】
2005104603.tif 000003
【図２】
2005104603.tif 000004
【図３】
2005104603.tif 000005
【図４】
2005104603.tif 000006
【図５】
2005104603.tif 000007
【図６】
2005104603.tif 000008
【図７】
2005104603.tif 000009
【図８】
2005104603.tif 000010
【図９】
2005104603.tif 000011
【図１０】
2005104603.tif 000012
【図１１】
2005104603.tif 000013
【図１２】
2005104603.tif 000014
【図１３】
2005104603.tif 000015